(57)【要約】審美的に満足のいくタイル張りの形態で配置された、複数の個々のフロアカバー要素（３２、３４）を有するモジュール型エリアラグ（５２）を提供する。モジュール型エリアラグ（５２）は、複数の同様の繰り返しサブユニットを含むことができ、各ユニットは、複数のフロアカバー要素（３２、３４）を含み得る。モジュール型エリアラグ（５２）は、独立しており、その一体的な性質を保つために、壁に接触させることを必要としない。さらに、独立のフロアカバー要素（３２、３４）は、使用者の要望または思いを満たすように、容易に配置を変えられ得る。各フロアカバー要素（３２、３４）は、テキスタイル上面、及びシート材料または布帛−エラストマー複合材のいずれかである耐滑り性の裏地を有する。
2006501019.tif 000002
【特許請求の範囲】
【請求項１】
タイル張りの形態に配置される複数の独立のフロアカバー要素を含むモジュール型エリアラグであって、各フロアカバー要素はテキスタイル上面と、テキスタイル上面に貼り付けられた裏地面を有し、前記テキスタイル上面は、タフテッドカットパイル表面、タフテッドループパイル表面、タフテッドマルチレベルパイル、ループパイルとカットパイルのタフテッドの組み合わせ、ニードルパンチ表面、接着パイル表面、織布、編成布、不織布、またはそれらの組み合わせから成る群から選択される構造を有し、前記裏地面は、単一のシート裏地、及び布帛−エラストマー複合材裏地から成る群から選択されるモジュール型エリアラグ。
【請求項２】
前記テキスタイル上面は、タフテッドパイル構造を有する請求項１に記載のモジュール型エリアラグ。
【請求項３】
前記タフテッドパイル構造が、不織裏地層を通してタフトされた糸を含む請求項２に記載のモジュール型エリアラグ。
【請求項４】
前記複数のフロアカバー要素が、正方形及び長方形であるフロアカバー要素を含む請求項１に記載のモジュール型エリアラグ。
【請求項５】
前記モジュール型エリアラグが、複数の繰り返しサブユニットを含み、各サブユニットは、複数の前記フロアカバー要素から形成される請求項４に記載のモジュール型エリアラグ。
【請求項６】
前記単一のシート裏地が、天然ゴム、合成ゴム、ウレタン、ポリプロピレン、ポリエチレン、ナイロン、ポリエステル、アクリロニトリル−ブタジエン−スチレン、ポリビニルクロライド（ＰＶＣ）、熱可塑性エラストマー、熱硬化プラスチック、及びそれらの組み合わせから成る群から選択されるシート材料から構成される請求項１に記載のモジュール型エリアラグ。
【請求項７】
前記単一のシート裏地が、天然ゴム及び合成ゴムから成る群から選択される請求項６に記載のモジュール型エリアラグ。
【請求項８】
前記布帛−エラストマー複合材裏地は、織布と、当該コーティングが該織布に接着されているエラストマーでコーティングされたメッシュ布帛を含む請求項１に記載のモジュール型エリアラグ。
【請求項９】
接着層が、前記テキスタイル上面を前記布帛−エラストマー複合材に接着させるために、前記テキスタイル上面と前記布帛−エラストマー複合材裏地の間に配置される請求項８に記載のモジュール型エリアラグ。
【請求項１０】
複数の独立のフロアカバー要素を有するモジュール型エリアラグの形成方法であって、
（ａ）単一のシート裏地及び布帛−エラストマー複合材から成る群から選択される裏地面の上にテキスタイル上面を置き、
（ｂ）フロアカバー要素を製造するために、前記テキスタイル上面と前記裏地面とを加硫オーブン中で見出されるような熱及び圧力に供し、及び
（ｃ）前記モジュール型エリアラグを製造するために、タイル張りの形態に前記フロアカバー要素を配置する
ことを包含する方法。
【請求項１１】
前記テキスタイル上面と前記裏地面が、工程（ｂ）の後に複数の前記フロアカバー要素へと裁断される材料の連続したロールを構成する請求項１０に記載の方法。
【請求項１２】
前記フロアカバー要素が、正方形状に裁断される請求項１１に記載の方法。
【請求項１３】
前記フロアカバー要素が、長方形状に裁断される請求項１１に記載の方法。
【請求項１４】
前記テキスタイル上面が、工程（ａ）の前に染色される請求項１０に記載の方法。
【請求項１５】
前記テキスタイル上面が、前記モジュール型エリアラグの隣接したフロアカバー要素間の継ぎ目の外観をマスクするために、ランダムな様式で染色される請求項１４に記載の方法。
【請求項１６】
前記テキスタイル上面が、工程（ａ）の前に、抗菌剤を用いて処理される請求項１０に記載の方法。
【請求項１７】
裏地材料が、天然ゴム及び合成ゴムから成る群から選択される請求項１０に記載の方法。
【請求項１８】
接着層が、前記テキスタイル上面を前記布帛−エラストマー複合材に接着するために、前記テキスタイル上面と前記布帛−エラストマー複合材裏地の間に配置される請求項１０に記載の方法。
【請求項１９】
前記タイル張りの形態が、本質的に長方形である請求項１０に記載の方法。
【請求項２０】
前記タイル張りの形態が、形状において非対称性である請求項１０に記載の方法。
【発明の詳細な説明】
【発明の開示】
【０００１】
技術分野
本開示は、使用者の思う通りに、種々の審美的に満足のいくタイル張りの形態に配置され得る別々のピースを有するモジュール型エリアラグに関する。別々のフロアカバーピースのそれぞれは、同一の色合いまたは模様をつけたデザインのいずれかに染色されたテキスタイル面構造と、シート材料または布帛−エラストマー複合材のいずれかである低滑り裏地を有する。分離できるフロアカバーピースは、エリアラグまたは他の小型のカーペットに類似し得るフローリングユニットを連携して形成する。好ましくは正方形または長方形である独立のフロアカバーピースは、フロアの上にランダムに配置され、モジュール型エリアラグの外周のより多数の変化を可能にする。
【０００２】
背景
典型的に、エリアラグは、縁の周囲を仕上げられ、対称形状（通常長方形、円形、または長円型）を有する１つの大きなカーペットのピースから形成される。この構造は、使用者にいくつかの問題を引き起こす。エリアラグの有する１つの問題は、液体のこぼれ、しみ、焼け焦げ等により台無しにされる傾向である。第２に、このようなラグは、その大きさのために、一般的に洗濯することができない。最後に、これらラグを移動し、保管することは困難である。取り扱いのために巻かれる必要のあるラグは、重く、運びにくい。
【０００３】
加えて、エリアラグは、その大きさ及び形状を制限される。使用者の室内のフロア案が変わるならば（例えば、他の住居への移動において）、使用者は、他の部屋にエリアラグを配置するか、所望するスペースのための他のエリアラグを購入することを強いられ得る。同様に、ラグの所有者が、自分の家に新しい家具を購入した場合、所有者は自分の１ピースのエリアラグの形状に不満を感じることがある。
【０００４】
本モジュール型のエリアラグは、これらの問題を扱い、且つ克服する。上記した全ての問題（移動及び保管、しみ及び汚れ、洗濯、並びに固定された寸法）は、１ピースの構成を、モジュール型の構成要素に置き換えることにより解決される。全フローリング表面に渡って設置される必要のあるカーペットタイルと異なり、本モジュール型のエリアラグの構成ピースは、いかなる所望のエリア及び配置に設置することを可能にする裏地を有する。
【０００５】
概要
本明細書中で述べるモジュール型のエリアラグは、それぞれテキスタイル上面と耐滑り性の裏地を有する複数の独立のフロアカバー要素を特徴とする。連携して、独立の要素は、モジュール型のエリアラグを形成する。独立の要素は、使用者の要望または思う通りに合わせた多用な形態に形づくられることができる。フロアカバー要素の耐滑り性の裏地は、布帛−エラストマー複合材、またはシート材料（ゴム等）から形成され得る。
【０００６】
詳細な説明
本発明を記載するために、本明細書中で使用される用語を定義する必要がある。第１に、「フロアカバー要素」という語は、モジュール型エリアラグの作製に有用な複数の構成要素の１つを記述するものとする。フロアカバー要素は、シート材料（ゴム等）、または布帛−エラストマー複合材のいずれかより形成される裏地に取り付けられたテキスタイル上面によって特徴づけられる。
【０００７】
「モジュール型エリアラグ」という語は、審美的に満足のいくタイル張りの形態に配置された、複数の独立のフロアカバー要素を記述するものとする。モジュール型エリアラグは、それぞれ複数のフロアカバー要素を含み得るところの複数の同様の繰り返しサブユニットを包含し得る。モジュール型エリアラグの形状は、対称、または非対称であり得る。モジュール型エリアラグは、従来のカーペットタイルと異なって独立しており、その一体的な性質を保持するために壁との接触を必要としないように設計されている。
【０００８】
「タイル張りの形態」という語は、フロアカバー要素の重複部分を有することなく、フロアカバー要素が互いに隣接される、フロアカバー要素の配置を指す。タイル張りの形態において、隣接するフロアカバー要素の周囲間には、実質的に空間がない。
【０００９】
「単一のシート裏地」という語は、フロアカバー要素のテキスタイル上面の裏側に取り付けられた材料の単一のシートを指す。このようなシート材料には、本明細書中で述べられる多くの他の材料も使用され得るが、好ましくはゴムで構成され得る。
【００１０】
「布帛−エラストマー複合材」という語は、布帛層とエラストマー要素の双方を含む裏地を指す。特に、布帛層は、エラストマー材料で部分的にのみ覆われており、これは好ましくは格子状配置で適用されている。この構造は、裏地が柔らかいままであり（すなわち、布帛層がフロアに接触するエリアにおいて）、及びエラストマー材料がフロアに接触するエリアのために耐滑り性を提供することを可能にする。
【００１１】
図１Ａ及び１Ｂに示される１つの好ましい態様において、フロアカバー要素２０は、糸２、及び糸２が固定された一次基材４を有するテキスタイル上面１４；一次裏地または基材４と二次裏地または基材８との間に位置する接着層６；二次裏地または基材８；並びに当該コーティング１２がフローリング構造中に融着されたオープンメッシュ層１６を有する。
【００１２】
図２に示される第２の態様において、フロアカバー要素４０は、糸２’、及び糸２’が固定された一次基材４’を有するテキスタイル上面１４’、並びにゴムまたは他の同様のシート材料から作られる単一の裏地層４８を有する。
【００１３】
糸２、２’は、天然繊維、及び／または合成繊維から構成される。例として、糸２、２’は、ナイロン、ポリエステル、アクリル、ポリプロピレン、コットン、ウール、またはそれらの任意の組み合わせであり得る。その耐久性、耐圧壊性、及び染色したときの耐変色性のため、ナイロンが好ましい繊維のタイプである。あるいは、溶液染色された合成糸も使用され得る。糸２、２’は、撚られ且つヒートセットされたもの、ヒートセットされずに撚られたもの、または撚られていないものであり得る。さらに、糸２、２’は、フリーズタイプか、非フリーズタイプであり得る。テキスタイル上面１４、１４’の糸２、２’は、以下述べる通り、好ましくは、一次裏地または基材４、４’に、または（及び）一次裏地または基材４、４’を通して、取り付けられる。
【００１４】
好ましくは糸２、２’が配置された一次基材４、４’は、限定されないが、ナイロン、ポリプロピレン、ポリエステル、コットン、ウール、アクリル、ガラス、またはそれらの組み合わせ等の任意の織物、または不織物から構成される。１つの好ましい一次基材は、ナイロンでコーティングされたポリエステル不織基材であり、より好ましくは、基材の外観をマスクし、糸の色を強調するために暗色に染色される。この好ましい基材について言えば、基材４、４’のナイロン成分は、糸２、２’に用いられた染料を受け入れる傾向があり、さらに使用者から基材４、４’をマスクする。ナイロンコーティングされたポリエステル不織基材を使用することの１つの重要な側面は、特に染色工程中、裏地形成工程中、及び洗濯中でのその寸法安定性である。あるいは、不織ナイロンキャップ（cap）、不織ポリエステルキャップ、または不織ポリプロピレンキャップのいずれかを有する織成ポリプロピレン基材を用いることができる。
【００１５】
テキスタイル上面１４、１４’は、タフテッドカットパイル表面、タフテッドループパイル表面、タフテッドマルチレベルパイル、ループパイルとカットパイルのタフテッドの組み合わせ、ニードルパンチ表面、接着パイル表面、織布、編成布、不織布、またはそれらの組み合わせを含み得る。好ましくは、テキスタイル上面１４、１４’は、その外観、柔らかさ、及びダスト制御特性のために、タフテッドカットパイル表面である。テキスタイル上面１４、１４’は、限定されないが、染料注入、グラフィックタフト、スクリーン捺染、パッド染色、フロック加工、またはそれらの組み合わせ等の方法によりさらに模様を付けられ得る。染料注入捺染（dye injection printing）が、複雑で、注文に合わせたデザインを作成することができるために好ましい。同一の色合い、またはランダムな様式のいずれかで独立のフロアカバー要素を染色すると、要素間の継ぎ目を隠すのに役立つことが見出された。
【００１６】
接着層６（フロアカバー要素２０において見られる）は、一次基材４中に糸２を固定するために役立つ。接着層６は、典型的に、熱または圧力に供されると柔らかくなる固体材料である。この軟化は、一次基材４と二次裏地基材８との間の凝集を引き起こす。接着層は、限られないが、天然ゴム、若しくは合成ゴム（ポリイソプレンゴム、スチレン−ブタジエンゴム、アクリロニトリル−ブタジエンゴム、エチレンプロピレンゴムを含む）、ウレタン、ポリプロピレン、ポリエチレン、ナイロン、ポリエステル、アクリロニトリル−ブタジエン−スチレン、ポリビニルクロライド、熱可塑性エラストマー、熱硬化プラスチック、低融点薄膜、またはそれらの任意の組み合わせを含む多くの材料から構成され得る。熱可塑性エラストマーの使用が、その接着特性、及びその製造における使用の容易さのために好ましい。
【００１７】
二次裏地または基材８（同じく、フロアカバー要素２０において見られる）は、フロアカバー要素２０に柔らかな裏地を提供するのに、及びフロアカバー要素２０に寸法安定性を提供するのに有用である。二次裏地または基材８は、フロアカバー要素２０の使用に伴う接着層６の割れまたは破断の可能性を減少させる。加えて、二次裏地または基材８は、フロアカバー要素２０の裏側に均一な外観を提供する。コットン、ウール、ポリエステル、ポリプロピレン、ナイロン、アクリル、またはそれらの任意の組み合わせを、二次裏地基材８を作成するために用いることができ、これは織物、不織物、またはニット材料であり得る。コットン織物、またはポリエステル織物の使用は、柔らかさのために好ましい。
【００１８】
フロアカバー要素２０の最後の構成要素は、メッシュ布１０であり、これはメッシュを取り囲むコーティング１２を有する。コーティングされたメッシュ布１６は、フロアカバー要素２０に寸法安定性を追加し、フロアカバー要素２０の使用中の滑りを防止する。コーティングされたメッシュ布１６は、本質的に開口構成を有する任意の織物、不織物、またはニット材料（図中布１０として示されたもの）を含み得る。織布が、メッシュの均一性のために好ましい。メッシュ布１０における開口は、好ましくは、約０．１２５インチ〜約１．５インチ、より好ましくは約０．５インチであるべきである。布１０それ自体は、コットン、ポリエステル、ポリプロピレン、ナイロン、アクリル、またはそれらの組み合わせから構成され得るが、コットンまたはポリエステルがより好ましい。コットンまたはポリエステルを使用した場合、コーティング前に、布に予備防縮加工を施すことが望ましい。
【００１９】
布１０は、例として、天然ゴム、または合成ゴム（ポリイソプレンゴム、スチレン−ブタジエンゴム、アクリロニトリル−ブタジエンゴム、エチレンプロピレンゴムを含む）、ウレタン、ポリプロピレン、ポリエチレン、ナイロン、ポリエステル、アクリロニトリル−ブタジエン−スチレン、ポリビニルクロライド、熱可塑性エラストマー、熱硬化プラスチック、またはそれらの組み合わせによりコーティングされる。コーティング１２を、図１Ａ及び１Ｂに示す。好ましいメッシュ布１６は、ラテックスコーティング１２を有する織布１０であり、ここで布要素１０は、コットンまたはポリエステルから作成される。フロアカバー要素２０の製造は、コーティング１２と接着層６との融点が同程度の場合に、最も好結果であることが見出された。
【００２０】
フロアカバー要素４０は、フロアカバー要素２０において用いられる布帛−エラストマー複合材の代わりに、単一のシート裏地層４８を含む。好ましくは、裏地層４８は、加硫中テキスタイル上面１４’に接着されるが、裏地層４８は、成形加工、アイロン加工、熱カレンダー加工等によっても接着され得る。裏地層４８は、限定されないが、本明細書中に記載されるゴム材料のいずれか１つまたは組み合わせ、ウレタン、ポリプロピレン、ポリエチレン、ナイロン、ポリエステル、アクリロニトリル−ブタジエン−スチレン、ポリビニルクロライド（ＰＶＣ）、他の熱可塑性エラストマー、熱硬化プラスチック、またはそれらの任意の組み合わせを含む多数のシート材料を包含し得る。適切なゴム材料には、天然ゴム、またはポリイソプロピレンゴム、スチレン−ブタジエンゴム、アクリロニトリル−ブタジエンゴム、エチレンプロピレンゴムを含む合成ゴムが含まれる。１つの好ましいゴム材料は、アクリロニトリル−ブタジエンゴムである。
【００２１】
フロアカバー要素２０、４０は、連続加硫プレスまたはシャトル加硫プレス中におけるように、構成ピースを重ねて配置させることにより製造される。この方法は、連続的に、またはバッチモードで行われ得る。
【００２２】
フロアカバー要素２０の製造において、要素２０の層は以下の通りに配置される。すなわち、コーティングされたメッシュ布１６、二次裏地基材８、接着層６、及び一次基材４及び糸２を含むテキスタイル上面１４である。コーティングされたメッシュ布１６は、加硫チャンバの熱盤に向けて配置されるべきであることに注意すべきである（すなわち、熱盤がチャンバの上部にあるならば、上記した順番を逆転させるべきである）。
【００２３】
フロアカバー要素４０の製造において、要素４０の層は以下の通りに配置される。すなわち、シート裏地層４８、及びテキスタイル上面１４’であり、裏地層４８は、熱盤に向けて配置される。フロアカバー要素４０の製造において判明した１つの特有の利点は、テキスタイル上面１４’とシート裏地層４８の連続したロールが、加硫チャンバ中で重ねられ得ることである。結果として生じる複合材は、その後、所望の形状を有する独立のフロアカバー要素４０へと、通常の裁断手段を用いて裁断され得る。
【００２４】
要素２０または要素４０のいずれかの予備アセンブリーは、その後、加硫チャンバ中に見出されるような熱及び圧力に供される。要素２０の作成において、加硫環境の熱と圧力は、接着層６とメッシュ布１６のコーティング１２を溶融させ、構成層を互いに融着させる。要素４０の作成において、加硫環境の熱と圧力は、裏地層４８（好ましくは、ゴム）をテキスタイル上面１４’に接着させ、加硫させる。約１８０℃〜約２２０℃の範囲の温度が好ましく、約１９５℃〜約２００℃の範囲の温度がより好ましい。約１５ポンド毎平方インチ（ゲージ）（p.s.i.g）から約５０p.s.i.gまでに渡る圧力が好ましく、約３０p.s.i.gの圧力がより好ましい。組み入れられる裏地材料の種類に関わらず、これらの温度及び圧力が、フロアカバー要素２０、４０の形成に適している。
【００２５】
フロアカバー要素２０は、柔らかで、耐滑り性、及び耐久性である裏地を好ましくは有する。このような裏地は、フロアカバー要素２０が置かれたフローリング表面に対する損傷を防止し、使用中のフロアカバー要素２０の滑りを防止する。いくつかの従来のエリアラグは、ラテックス材料から作成された裏地を含み、これが置かれたフローリング表面を磨耗し得る。他の従来のエリアラグは、使用中にラグの滑りを引き起こし得るフェルト裏地を有する。フロアカバー要素２０の裏地は、これらの問題を克服する。
【００２６】
図３Ａは、本モジュール型エリアラグの作成において有用な１つの形状を示す。図３Ａは、正方形の形状に裁断されたフロアカバー要素３２を示す。１つの特に好ましい寸法は、約１８インチの辺の長さを有する正方形である。要素３２は、フロアカバー要素２０（布帛−エラストマー裏地を有する）、またはフロアカバー要素４０（単一のシート裏地層を有する）の構造を有し得ることは言及するに値する。
【００２７】
図３Ｂは、フロアカバー要素３２の形状の変形を示し、フロアカバー要素３４は、長方形の形状を有する。要素３２と同様に、要素３４は、フロアカバー要素２０（布帛−エラストマー裏地を有する）、またはフロアカバー要素４０（単一のシート裏地層を有する）の構造を有し得る。フロアカバー要素３４の１つの特に好ましいサイズは、約１８インチ×約３６インチである。要素３２のサイズの他の倍数値もまた、用いられ得る。直線状の端を有する直角の多角形の使用が、正方形及び長方形の要素３２、３４を詰める、及び保管する場合の容易性のため、好ましい。例えば、同様の寸法を有する正方形及び長方形の要素３２、３４は、運送または保管のために、同じ長方形の箱に容易に詰められ得る。
【００２８】
フロアカバー要素３２、３４が、直線状の端を有する直角の多角形として示されるが、直線状及び／または曲線状の端を有する他の形状も意図される。例えば、フロアカバー要素２０、４０は、三角形、六角形、台形、菱形等の形状であり得る。
【００２９】
図４Ａは、モジュール型エリアラグ５０を作成するための、要素３２、３４の１つの意図される配置を示す。この図において、モジュール型エリアラグ５０は、他の１ピースのエリアラグと同様に長方形の外周を有する。要素３２、３４は、独立の要素３２、３４間の継ぎ目がマスクされるような方法で配置される。図４Ｂは、フローリングユニット５２を作成するための、要素３２、３４の第２の意図される配置を示す。フローリングユニット５２のＬ型の外周は、ある種の家具の配置に対する補足物として好ましくもあり得る。図４Ｃは、フローリングユニット５４を作成するための、要素３２、３４のさらに他の意図される配置を示す。フローリングユニット５０、５２、５４の形態は、顧客により所望され得る種々のフローリングユニットを作成する、本フローリング要素３０、３２の多様性を示すものである。加えて、顧客は、自分の好み、または環境が必要とし得るような新しいフローリングユニットを作成するために、要素３０、３２を容易に再構成することができる。このような柔軟性は、典型的な１ピースのエリアラグでは不可能である。
【００３０】
フロアカバー要素３２、３４は、通常の手段（背面側の継ぎ目に沿ってテープを貼る等）により互いに取り付けられ得るが、このような取り付けは必要としない。さらに、フロアカバー要素３２、３４は、従来の取り外し可能なカーペットタイル接着剤、他の同様の持続的な粘着剤、両面テープ等を用いて、フロアに操作可能的に貼り付けられ得る。
【００３１】
フローリングカバー要素２０、４０は、細菌または微生物の成長により引き起こされる製品の臭気及び劣化を防止するために、抗菌剤を用いて任意に処理され得る。処理は、製品を作成する前の原料に施され得るか、各洗浄と共に局所的に施され得る。本質的に抗菌性の原料（亜鉛ベースの化合物等）が製品に使われ得る。適切な抗菌剤の例には、Ｄｏｗ  Ｃｈｅｍｉｃａｌ  ａｎｄ  Ａｌｐｈａｓａｎ（登録商標）製のＡＥＭ５７００抗菌剤、Ｍｉｌｌｉｋｅｎ＆Ｃｏｍｐａｎｙの１部門である、Ｍｉｌｌｉｋｅｎ  Ｃｈｅｍｉｃａｌ製の抗菌剤が含まれる。ゴムに抗菌剤を取り込む１つの方法は、Ｒｏｃｋｗｅｌｌへの米国特許６，３３２，２９３号に記載されており、その開示を、本明細書中の一部として本願に援用する。
【図面の簡単な説明】
【００３２】
【図１Ａ】本モジュール型エリアラグの１つのフロアカバー要素の１の好ましい態様の分解組立図。
【図１Ｂ】図１Ａのフロアカバー要素の背面側の平面図。
【図２】本モジュール型エリアラグの１つのフロアカバー要素の第２の好ましい態様の分解組立図。
【図３Ａ】本モジュール型エリアラグの正方形のフロアカバー要素の平面図。
【図３Ｂ】本モジュール型エリアラグの長方形のフロアカバー要素の平面図。
【図４Ａ】図３Ａ及び図３Ｂのフロアカバー要素の１の配置の平面図。
【図４Ｂ】図３Ａ及び図３Ｂのフロアカバー要素の他の配置の平面図。
【図４Ｃ】図３Ａ及び図３Ｂのフロアカバー要素のさらに他の配置の平面図。
【図１Ａ】
2006501019.tif 000003
【図１Ｂ】
2006501019.tif 000004
【図２】
2006501019.tif 000005
【図３Ａ】
2006501019.tif 000006
【図３Ｂ】
2006501019.tif 000007
【図４Ａ】
2006501019.tif 000008
【図４Ｂ】
2006501019.tif 000009
【図４Ｃ】
2006501019.tif 000010
【国際調査報告】
2006501019.tif 000011